(57)【特許請求の範囲】
【請求項１】
複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおいて、
前記ＭＢＭＳサービスを受信しなかった前記移動局に対し未受信の前記ＭＢＭＳサービスがあることを通知する未受信サービス通知装置を具備し、
前記未受信サービス通知装置は、
前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶しておく記憶手段と、
前記ＭＢＭＳサービスを実際に行う時に前記記憶手段に前記識別子が記憶された前記移動局が前記ＭＢＭＳサービスの実施エリアに存在するか、又は、前記移動局の電源がＯＦＦであるかを判断して判断結果を生成する受信不可移動局検索手段と、
前記判断結果により前記ＭＢＭＳサービスの実施エリアに存在しないと示された時又は電源がＯＦＦであった前記移動局の電源がＯＮとなったと示された時に当該移動局に対して前記記憶手段の前記移動局の前記識別子と前記サービス特定情報に基づいて個別に未受信の前記ＭＢＭＳサービスがあることを通知する未受信サービス個別通知手段と、
を具備するＭＢＭＳサービスシステム。
【請求項２】
複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおいて、
前記ＭＢＭＳサービスを受信しなかった前記移動局に対し未受信の前記ＭＢＭＳサービスがあることを通知する未受信サービス通知装置を具備し、
前記未受信サービス通知装置は、
前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶しておく記憶手段と、
前記ＭＢＭＳサービスを実際に行う時に前記記憶手段に前記識別子が記憶された前記移動局が前記ＭＢＭＳサービスの実施エリアに存在するかを判断して判断結果を生成する受信不可移動局検索手段と、
前記判断結果により前記ＭＢＭＳサービスの実施エリアに存在しないと示された前記移動局が再び当該ＭＢＭＳサービスの実施エリアに戻ってきた時に当該移動局に対して前記記憶手段の前記移動局の前記識別子と前記サービス特定情報に基づいて個別に未受信の前記ＭＢＭＳサービスがあることを通知する未受信サービス個別通知手段と、
を具備するＭＢＭＳサービスシステム。
【請求項３】
複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおける未受信サービス通知方法において、
前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶手段が記憶しておく記憶ステップと、
前記ＭＢＭＳサービスを実際に行う時に前記記憶手段に前記識別子が記憶された前記移動局が前記ＭＢＭＳサービスの実施エリアに存在するか、又は前記移動局の電源がＯＦＦであるかを判断して判断結果を生成する受信不可移動局検索ステップと、
前記判断結果により前記ＭＢＭＳサービスの実施エリアに存在しないと示された時又は電源がＯＦＦであった前記移動局の電源がＯＮとなったと示された時に当該移動局に対して前記記憶手段の前記移動局の前記識別子と前記サービス特定情報に基づいて個別に未受信の前記ＭＢＭＳサービスがあることを通知する未受信サービス個別通知ステップと、
を具備する未受信サービス通知方法。
【請求項４】
複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおける未受信サービス通知方法において、
前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶手段が記憶しておく記憶ステップと、
前記ＭＢＭＳサービスを実際に行う時に前記記憶手段に前記識別子が記憶された前記移動局が前記ＭＢＭＳサービスの実施エリアに存在するかを判断して判断結果を生成する受信不可移動局検索ステップと、
前記判断結果により前記ＭＢＭＳサービスの実施エリアに存在しないと示された前記移動局が再び当該ＭＢＭＳサービスの実施エリアに戻ってきた時に当該移動局に対して前記記憶手段の前記移動局の前記識別子と前記サービス特定情報に基づいて個別に未受信の前記ＭＢＭＳサービスがあることを通知する未受信サービス個別通知ステップと、
を具備する未受信サービス通知方法。
【発明の詳細な説明】
【技術分野】
【０００１】
本発明は、不特定の多数の移動局に対してＭＢＭＳ（Multimedia Broadcast Multicast Service）サービスを行うＭＢＭＳサービスシステムに関するものである。
【背景技術】
【０００２】
ＭＢＭＳサービスシステムは、不特定の多数の移動局に対して同時通信を行うものであり、３GPP Release6の一機能として標準化が進んでいる（非特許文献１及び非特許文献２参照）。
【０００３】
図７は、２つのセッション１、２よりなるサービス１が実施される時の手順を時間の経過に従って示すものである。また、図８は、ＭＢＭＳサービスシステムにおける上位装置、基地局制御装置、基地局及び移動局が図７に示した各手順とどのように関係するかを説明するための図である。
【０００４】
サービスを提供する上位装置１１は、サービス１が後に実施されることをユーザの移動局１４に通知するために、予めService 1 announcementを実施する。Service 1 announcementでは、サービス１に関する情報、例えば、どのような内容で、いつ頃配信されるのか等の情報が含まれている（Start Service 1 announcement〜１st session start）。
【０００５】
この報知情報を見た移動局１４が受信を希望する時に、図８の（２）で示された手順Joiningにより、上位装置１１にその旨を通知する。以後、移動局１４は、上位装置１１から希望したサービスに対する送信開始信号を受信するまで待機状態になる。
【０００６】
上位装置１１は、実際にサービス１を実施する準備が整うと（図７の１st session start）基地局制御装置１２に対しサービスがまもなく開始されることを通知する｛図８（３）｝。基地局制御装置１２は、この通知を受けると、基地局制御装置１２が管理する基地局１３を通じてJoinした移動局１４にまもなく送信が開始されることを通知する｛図７ Idle period of seconds 区間、図８（４） MBMS Notification｝。ただし、ここでの通知は、移動局１４に個別に通知するのではなく、共通チャネル上において通知されたものを移動局１４の各々が見に来ることで達成される。
【０００７】
全ての移動局１４が開始を認識できるようにしばらく開始通信信号を送信した後に、実際のＭＢＭＳデータが送信される｛図７ Data transfer 区間、図８（５）｝。上位装置１１は、これ以上送信するものがないと判断した時には基地局制御装置１２にsession stopを通知し、基地局制御装置１２は基地局１３の送信を停止させる｛図７ １st session stop、図８（６））｝。図８の手順（３）から手順（６）が繰り返されることによりサービス１に含まれる全てのsessionが送信される。  
【非特許文献１】3GPP TRS25.346
【非特許文献２】3GPP TRS23.246
【発明の開示】
【発明が解決しようとする課題】
【０００８】
しかしながら、従来の技術においては、移動局がサービスの開始信号（session start）、又は、サービス中であることを示すMBMS Notificationを受信できるのは当該サービスの実施エリアに存在する時であるため、受信を希望するＭＢＭＳサービスに関する受信登録をした後に移動局がサービスの実施エリアの外に移動した時、また、移動局の電源をＯＦＦである時に当該実施エリアでサービスがあったことを移動局が知ることができないという問題がある。
【０００９】
本発明は、かかる点に鑑みてなされたものであり、受信を希望するＭＢＭＳサービスに関する受信登録をした後に移動局が当該ＭＢＭＳサービスの実施エリアの外に移動した時、また、移動局の電源がＯＦＦである時にも、当該実施エリアでＭＢＭＳサービスがあったことを移動局が後で知ることができるＭＢＭＳサービスシステム及び未受信サービス通知方法を提供することを目的とする。
【課題を解決するための手段】
【００１０】
本発明は、複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおいて、前記ＭＢＭＳサービスを受信しなかった前記移動局に対し未受信の前記ＭＢＭＳサービスがあることを通知する未受信サービス通知装置を具備し、前記未受信サービス通知装置は、前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶しておく記憶手段と、前記ＭＢＭＳサービスを実際に行う時に前記記憶手段に前記識別子が記憶された前記移動局が前記ＭＢＭＳサービスの実施エリアに存在するか、又は、前記移動局の電源がＯＦＦであるかを判断して判断結果を生成する受信不可移動局検索手段と、前記判断結果により前記ＭＢＭＳサービスの実施エリアに存在しないと示された時又は電源がＯＦＦであった前記移動局の電源がＯＮとなったと示された時に当該移動局に対して前記記憶手段の前記移動局の前記識別子と前記サービス特定情報に基づいて個別に未受信の前記ＭＢＭＳサービスがあることを通知する未受信サービス個別通知手段と、を具備する構成を採る。
【発明の効果】
【００１１】
本発明によれば、受信を希望するＭＢＭＳサービスに関する受信登録をした後に移動局がＭＢＭＳサービスの実施エリアの外に移動した時、また、移動局の電源がＯＦＦである時にも、当該実施エリアでＭＢＭＳサービスがあったことを移動局が後で知ることができる。
【発明を実施するための最良の形態】
【００１２】
次に、本発明の実施の形態について、図面を参照して詳細に説明する。
【００１３】
（実施の形態１）
図１は、本発明の実施の形態１に係るＭＢＭＳサービスシステムを示すブロック図である。図１に示すように、本発明の実施の形態１に係るＭＢＭＳサービスシステム１００は、複数の移動局１０１−１、１０１−２、基地局１０２−１、１０２−２、基地局制御装置１０３−１、１０３−２、上位装置１０４、位置情報管理装置１０５及び未受信サービス通知装置１０６を具備している。
【００１４】
基地局１０２−１、１０２−２は、複数の移動局１０１−１、１０１−２と無線で通信を行う。基地局制御装置１０３−１、１０３−２は、基地局１０２−１、１０２−２を制御する。上位装置１０４は、基地局制御装置１０３−１、１０３−２及び基地局１０２−１、１０２−２を介して複数の移動局１０１−１、１０１−２に対し通信を行うことができ、かつ、ＭＢＭＳサービスを行うことができるものである。
【００１５】
位置情報管理装置１０５は、複数の移動局１０１−１、１０１−２の各々の識別子と複数の移動局１０１−１、１０１−２の各々からの位置情報とを対応付けて位置情報を管理する。複数の移動局１０１−１、１０１−２の各々の位置情報とは、複数の移動局１０１−１、１０１−２の各々がどのレジストレーションエリアに位置するかの情報である。未受信サービス通知装置は１０６は、ＭＢＭＳサービスを受信しなかった移動局１０１−１、１０１−２に対し未受信のＭＢＭＳサービスがあることを通知する。
【００１６】
未受信サービス通知装置１０６は、記憶装置１０６１、受信不可移動局検索部１０６２及び未受信サービス個別通知部１０６３を具備している。
【００１７】
記憶装置１０６１は、移動局１０１−１、１０１−２がＭＢＭＳサービスの受信を希望して受信登録を要求する受信登録要求信号を受けた時に当該移動局１０１−１、１０１−２の識別子と前記受信登録要求信号に係る前記ＭＢＭＳサービス（ＭＢＭＳサービスの種類）を特定するサービス特定情報を記憶しておく。
【００１８】
受信不可移動局検索部１０６２は、ＭＢＭＳサービスを実際に行う時に位置情報管理装置１０５からの位置情報に基づいて記憶装置１０６１に識別子が記憶された移動局１０１−１、１０１−２がＭＢＭＳサービスの実施エリアに存在するかを判断して判断結果を生成する。また、受信不可移動局検索部１０６２は、ＭＢＭＳサービスを実際に行う時に記憶装置１０６１に識別子が記憶された移動局１０１−１、１０１−２の電源がＯＦＦであるかを判断して判断結果を生成する。
【００１９】
未受信サービス個別通知部１０６３は、受信不可移動局検索部１０６２の判断結果により記憶装置１０６１に識別子が記憶された移動局１０１−１、１０１−２が前記ＭＢＭＳサービスの実施エリアに存在しないと示された時又は電源がＯＦＦであった移動局１０１−１、１０１−２の電源がＯＮとなったと示された時に当該移動局１０１−１、１０１−２に対して記憶装置１０６１の当該移動局１０１−１、１０１−２の識別子と前記サービス特定情報に基づいて個別に未受信の前記ＭＢＭＳサービスがあることを通知する。
【００２０】
次に、本発明の実施の形態１に係るＭＢＭＳサービスシステム１００の動作について、図面を参照して詳細に説明する。
【００２１】
位置情報管理装置１０５は、ＭＢＭＳサービスに関係なく、複数の移動局１０１−１、１０１−２の各々の識別子と複数の移動局１０１−１、１０１−２の各々からの位置情報（複数の移動局１０１−１、１０１−２の各々がどのレジストレーションエリアに位置するかの位置情報）とを対応付けて位置情報のリストを生成して管理する。
【００２２】
ここでは、説明の簡単のために、図３に示すように、ＭＢＭＳサービスＡが実施される実施エリアをレジストレーションエリアＲＡ、レジストレーションエリアＲＢ及びレジストレーションエリアＲＤとし、ＭＢＭＳサービスＡが実施されない非実施エリアをレジストレーションエリアＲＣ及びレジストレーションエリアＲＥと仮定する。
【００２３】
位置情報管理装置１０５は、これらのレジストレーションエリアＲＡ、ＲＢ、ＲＣ、ＲＤ、ＲＥに位置する複数の移動局ＭＡ、ＭＢ、ＭＣ、ＭＤの位置情報を管理する。
【００２４】
移動局ＭＡ、ＭＣはレジストレーションエリアＲＤに位置し、移動局ＭＢはレジストレーションエリアＲＡに位置し、移動局ＭＤはレジストレーションエリアＲＣに位置している。移動局ＭＡ、ＭＢ、ＭＣ、ＭＤの各々は、位置しているレジストレーションエリアが変わると、自分の位置しているレジストレーションエリアが変わったことを基地局１０２及び基地局制御装置１０３を介して位置情報管理装置１０５に通知する。
【００２５】
記憶装置１０６１は、移動局ＭＡ、ＭＢ、ＭＣがＭＢＭＳサービスの受信を希望して受信登録を要求する受信登録要求信号を受けた時に当該移動局ＭＡ、ＭＢ、ＭＣの識別子と前記受信登録要求信号に係る前記ＭＢＭＳサービス（ＭＢＭＳサービスの種類）を特定するサービス特定情報を対応付けてリストを生成して記憶しておく。
【００２６】
ここでは、移動局ＭＡ、ＭＢ、ＭＣがＭＢＭＳサービスＳＡの受信を希望して受信登録を要求する受信登録要求信号を基地局１０２−１及び基地局制御装置１０３−１を介して上位装置１０４及び記憶装置１０６１に送信する。記憶装置１０６１は、受信登録要求信号を受けた時に移動局ＭＡ、ＭＢ、ＭＣの識別子とＭＢＭＳサービスＳＡを特定するサービス特定情報を対応付けて記憶する。
【００２７】
受信不可移動局検索部１０６２は、ＭＢＭＳサービスを実際に行う時に位置情報管理装置１０５からの位置情報のリストと記憶装置１０６１からのリストとを比較することにより記憶装置１０６１に識別子が記憶された移動局ＭＡ、ＭＢ、ＭＣがＭＢＭＳサービスの実施エリアに存在するかを判断して判断結果を生成する。また、受信不可移動局検索部１０６２は、ＭＢＭＳサービスを実際に行う時に記憶装置１０６１に識別子が記憶された移動局１０１の電源がＯＦＦであるかを判断して判断結果を生成する。ここで、受信不可移動局検索部１０６２がＭＢＭＳサービスを実際に行う時とは、ＭＢＭＳサービスを行う直前及び直後を含むものである。
【００２８】
未受信サービス個別通知部１０６３は、受信不可移動局検索部１０６２からの判断結果により移動局が前記ＭＢＭＳサービスの実施エリアに存在しないと示された時又は電源がＯＦＦであった前記移動局の電源がＯＮとなったと示された時に当該移動局に対して記憶装置１０６１の移動局の識別子とサービス特定情報に基づいて個別に未受信のＭＢＭＳサービスがあることを通知する。
【００２９】
この場合には、未受信サービス個別通知部１０６３は、受信不可移動局検索部１０６２からの判断結果により、例えば、移動局１０１−２が図１の位置から図２の位置へ移動してＭＢＭＳサービスの実施エリアＡに存在しないと示された時に基地局制御装置１０３−２及び基地局１０２−２を介して移動局１０１−２に個別に未受信のＭＢＭＳサービスがあることを通知する。
【００３０】
次に、本発明の実施の形態１に係るＭＢＭＳサービスシステム１００において未受信サービス個別通知部による移動局に対する未受信サービスの通知について、図面を参照して詳細に説明する。
【００３１】
図４は、本発明の実施の形態１に係るＭＢＭＳサービスシステム１００において未受信サービス個別通知部による移動局に対する未受信サービスの通知の１例を説明するためのフロー図である。
【００３２】
ステップＳＴ１０１において、記憶装置１０６１は、ＭＢＭＳサービスの受信登録をした移動局の識別子とサービス特定情報を対応付けて記憶する。すなわち、記憶装置１０６１は、移動局からＭＢＭＳサービスの受信を希望して受信登録を要求する受信登録要求信号を受けた時に当該移動局の識別子と前記受信登録要求信号に係る前記ＭＢＭＳサービス（ＭＢＭＳサービスの種類）を特定するサービス特定情報を対応付けてリストを生成して記憶する。
【００３３】
次に、ステップＳＴ１０２において、上位装置１０４は、ＭＢＭＳサービスを開始して、ステップＳＴ１０３に進む。
【００３４】
ステップＳＴ１０３において、受信不可移動局検索部１０６２は、記憶装置１０６１に識別子が記憶された移動局がＭＢＭＳサービスの実施エリアに存在するかを判断する。すなわち、受信不可移動局検索部１０６２は、ＭＢＭＳサービスを実際に行う時に位置情報管理装置１０５からの位置情報のリストと記憶装置１０６１からのリストとを比較することにより記憶装置１０６１に識別子が記憶された移動局がＭＢＭＳサービスの実施エリア（レジストレーションエリアＲＡ、ＲＢ、ＲＤ）に存在するかを判断して判断結果を生成する。
【００３５】
次に、ステップＳＴ１０３において、受信不可移動局検索部１０６２は、記憶装置１０６１に識別子が記憶された移動局がＭＢＭＳサービスの実施エリアに存在しないと判断した時であって、ステップＳＴ１０４において上位装置１０４がＭＢＭＳサービスを終了した後に、ステップＳＴ１０５に進む。
【００３６】
ステップＳＴ１０５において、受信不可移動局検索部１０６２は、記憶装置１０６１に識別子が記憶された移動局がＭＢＭＳサービスの実施エリアに存在するかを判断する。すなわち、受信不可移動局検索部１０６２は、ＭＢＭＳサービスを実際に行う時に位置情報管理装置１０５からの位置情報のリストと記憶装置１０６１からのリストとを比較することにより記憶装置１０６１に識別子が記憶された移動局がＭＢＭＳサービスの実施エリア（レジストレーションエリアＲＡ、ＲＢ、ＲＤ）に存在するかを判断して判断結果を生成する。
【００３７】
ステップＳＴ１０３又はステップＳＴ１０５において、受信不可移動局検索部１０６２が、記憶装置１０６１に識別子が記憶された移動局がＭＢＭＳサービスの実施エリアに存在すると判断した時に、当該移動局の識別子及びサービス特定情報を記憶装置１０６１から消去する（ステップＳＴ１０６）。
【００３８】
また、ステップＳＴ１０５において、受信不可移動局検索部１０６２は、記憶装置１０６１に識別子が記憶された移動局がＭＢＭＳサービスの実施エリアに存在しないと判断した時に、ステップＳＴ１０７において未受信サービス個別通知部１０６３はＭＢＭＳサービスを受信しなかった移動局に対し未受信のＭＢＭＳサービスがあることを通知する。すなわち、未受信サービス個別通知部１０６３は、受信不可移動局検索部１０６２の判断結果により記憶装置１０６１に識別子が記憶された移動局が前記ＭＢＭＳサービスの実施エリアに存在しないと示された時に当該移動局に対して記憶装置１０６１の前記移動局の識別子と前記サービス特定情報に基づいて個別に未受信の前記ＭＢＭＳサービスがあることを通知する。
【００３９】
本発明の実施の形態１によれば、未受信サービス個別通知部１０６３が、受信不可移動局検索部１０６２からの判断結果により移動局が前記ＭＢＭＳサービスの実施エリアに存在しないと示された時又は電源がＯＦＦであった移動局の電源がＯＮとなったと示された時に当該移動局に対して記憶装置１０６１の移動局の識別子とサービス特定情報に基づいて個別に未受信のＭＢＭＳサービスがあることを通知するため、受信を希望するＭＢＭＳサービスに関する受信登録をした後に移動局がＭＢＭＳサービスの実施エリアの外に移動した時、また、移動局の電源をＯＦＦである時にも、当該実施エリアでＭＢＭＳサービスがあったことを当該移動局が後で知ることができる。
【００４０】
（実施の形態２）
次に、本発明の実施の形態２について、図面を参照して詳細に説明する。図５は、本発明の実施の形態２に係るＭＢＭＳサービスシステムを示すブロック図である。本発明の実施の形態２においては、本発明の実施の形態１と同じ構成要素には同じ参照符号を付してその説明を省略する。
【００４１】
図５に示すように、本発明の実施の形態２に係るＭＢＭＳサービスシステム４００は、本発明の実施の形態１に係るＭＢＭＳサービスシステム１００において、未受信サービス通知装置１０６の代わりに未受信サービス通知装置４０１を具備する。
【００４２】
すなわち、本発明の実施の形態２に係るＭＢＭＳサービスシステム４００は、複数の移動局１０１、基地局１０２、基地局制御装置１０３、上位装置１０４、位置情報管理装置１０５及び未受信サービス通知装置４０１を具備している。
【００４３】
未受信サービス通知装置４０１は、本発明の実施の形態１に係るＭＢＭＳサービスシステム１００の未受信サービス通知装置１０６において、未受信サービス個別通知部１０６３の代わりに未受信サービス個別通知部４０１１を具備している。
【００４４】
未受信サービス個別通知部４０１１は、受信不可移動局検索部１０６２の判断結果により記憶装置１０６１に識別子が記憶された移動局１０１が前記ＭＢＭＳサービスの実施エリアに存在しないと示された時に当該移動局１０１が当該ＭＢＭＳサービスの実施エリアに戻ってきて位置情報管理装置１０５に位置情報を登録した時に、当該移動局１０１に対して記憶装置１０６１の前記移動局の識別子と前記サービス特定情報に基づいて個別に未受信の前記ＭＢＭＳサービスがあることを通知する。
【００４５】
これ以外の点においては、本発明の実施の形態２に係るＭＢＭＳサービスシステム４００は、本発明の実施の形態１に係るＭＢＭＳサービスシステム１００と同じである。
【００４６】
次に、本発明の実施の形態２に係るＭＢＭＳサービスシステム４００において未受信サービス個別通知部による移動局に対する未受信サービスの通知について、図面を参照して詳細に説明する。
【００４７】
図６は、本発明の実施の形態２に係るＭＢＭＳサービスシステム４００において未受信サービス個別通知部による移動局に対する未受信サービスの通知の１例を説明するためのフロー図である。
【００４８】
図６のステップＳＴ１０１〜ＳＴ１０６までの動作は、図４のステップＳＴ１０１〜ＳＴ１０６までの動作と同じである。
【００４９】
ステップＳＴ１０５において、受信不可移動局検索部１０６２は、記憶装置１０６１に識別子が記憶された移動局がＭＢＭＳサービスの実施エリアに存在しないと判断した時に、ステップＳＴ２０１において未受信サービス個別通知部４０１１は移動局がＭＢＭＳサービスの実施エリアに戻ってきて位置登録をした時に移動局に対し未受信のＭＢＭＳサービスがあることを通知する。
【００５０】
すなわち、未受信サービス個別通知部４０１１は、受信不可移動局検索部１０６２の判断結果により記憶装置１０６１に識別子が記憶された移動局が前記ＭＢＭＳサービスの実施エリアに存在しないと示された時に当該移動局に対して記憶装置１０６１の前記移動局の識別子と前記サービス特定情報に基づいて個別に未受信の前記ＭＢＭＳサービスがあることを通知する。
【００５１】
この場合に、受信不可移動局検索部１０６２は、定期的に位置情報管理装置１０５に当該移動局がＭＢＭＳサービスの実施エリアに存在するかを問い合わせて判断し判断結果を未受信サービス個別通知部４０１１に通知してもよい。また、位置情報管理装置１０５がＭＢＭＳサービスの実施エリアに入ってきた移動局の識別子を受信不可移動局検索部１０６２に通知し、この通知に基づいて受信不可移動局検索部１０６２は記憶装置１０６１に識別子が記憶された移動局がＭＢＭＳサービスの実施エリアに戻ってきたかを判断して判断結果を未受信サービス個別通知部４０１１に通知してもよい。
【００５２】
本発明の実施の形態２によれば、未受信サービス個別通知部４０１１が、受信不可移動局検索部１０６２の判断結果により記憶装置１０６１に識別子が記憶された移動局が前記ＭＢＭＳサービスの実施エリアに存在しないと示された時に当該移動局に対して記憶装置１０６１の前記移動局の識別子と前記サービス特定情報に基づいて個別に未受信の前記ＭＢＭＳサービスがあることを通知するため、受信を希望するＭＢＭＳサービスに関する受信登録をした後に移動局がＭＢＭＳサービスの実施エリアの外に移動した時にも、当該実施エリアでＭＢＭＳサービスがあったことを移動局１０１が後で知ることができる。
【００５３】
本発明の実施の態様１に係るＭＢＭＳサービスシステムは、複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおいて、前記ＭＢＭＳサービスを受信しなかった前記移動局に対し未受信の前記ＭＢＭＳサービスがあることを通知する未受信サービス通知装置を具備し、前記未受信サービス通知装置は、前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶しておく記憶手段と、前記ＭＢＭＳサービスを実際に行う時に前記記憶手段に前記識別子が記憶された前記移動局が前記ＭＢＭＳサービスの実施エリアに存在するか、又は、前記移動局の電源がＯＦＦであるかを判断して判断結果を生成する受信不可移動局検索手段と、前記判断結果により前記ＭＢＭＳサービスの実施エリアに存在しないと示された時又は電源がＯＦＦであった前記移動局の電源がＯＮとなったと示された時に当該移動局に対して前記記憶手段の前記移動局の前記識別子と前記サービス特定情報に基づいて個別に未受信の前記ＭＢＭＳサービスがあることを通知する未受信サービス個別通知手段と、を具備する構成を採る。
【００５４】
本発明の実施の態様１によれば、未受信サービス個別通知手段が、受信不可移動局検索手段の判断結果によりＭＢＭＳサービスの実施エリアに存在しないと示された時又は電源がＯＦＦであった移動局の電源がＯＮとなったと示された時に当該移動局に対して記憶手段の前記移動局の識別子とサービス特定情報に基づいて個別に未受信のＭＢＭＳサービスがあることを通知するため、受信を希望するＭＢＭＳサービスに関する受信登録をした後に移動局がＭＢＭＳサービスの実施エリアの外に移動した時、また、移動局の電源をＯＦＦである時にも、当該実施エリアで前記ＭＢＭＳサービスがあったことを移動局が後で知ることができる。
【００５５】
本発明の実施の態様２に係るＭＢＭＳサービスシステムは、複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおいて、前記ＭＢＭＳサービスを受信しなかった前記移動局に対し未受信の前記ＭＢＭＳサービスがあることを通知する未受信サービス通知装置を具備し、前記未受信サービス通知装置は、前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶しておく記憶手段と、前記ＭＢＭＳサービスを実際に行う時に前記記憶手段に前記識別子が記憶された前記移動局が前記ＭＢＭＳサービスの実施エリアに存在するかを判断して判断結果を生成する受信不可移動局検索手段と、前記判断結果により前記ＭＢＭＳサービスの実施エリアに存在しないと示された前記移動局が再び当該ＭＢＭＳサービスの実施エリアに戻ってきた時に当該移動局に対して前記記憶手段の前記移動局の前記識別子と前記サービス特定情報に基づいて個別に未受信の前記ＭＢＭＳサービスがあることを通知する未受信サービス個別通知手段と、を具備する構成を採る。
【００５６】
本発明の実施の態様２によれば、未受信サービス個別通知手段が、受信不可移動局検索手段の判断結果によりＭＢＭＳサービスの実施エリアに存在しないと示された移動局が再び当該ＭＢＭＳサービスの実施エリアに戻ってきた時に当該移動局に対して記憶手段の前記移動局の識別子とサービス特定情報に基づいて個別に未受信の前記ＭＢＭＳサービスがあることを通知するため、受信を希望するＭＢＭＳサービスに関する受信登録をした後に移動局がＭＢＭＳサービスの実施エリアの外に移動した時にも、当該実施エリアでＭＢＭＳサービスがあったことを移動局が後で知ることができる。
【００５７】
本発明の実施の態様３に係る未受信サービス通知方法は、複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおける未受信サービス通知方法において、前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶手段が記憶しておく記憶ステップと、前記ＭＢＭＳサービスを実際に行う時に前記記憶手段に前記識別子が記憶された前記移動局が前記ＭＢＭＳサービスの実施エリアに存在するか、又は前記移動局の電源がＯＦＦであるかを判断して判断結果を生成する受信不可移動局検索ステップと、前記判断結果により前記ＭＢＭＳサービスの実施エリアに存在しないと示された時又は電源がＯＦＦであった前記移動局の電源がＯＮとなったと示された時に当該移動局に対して前記記憶手段の前記移動局の前記識別子と前記サービス特定情報に基づいて個別に未受信の前記ＭＢＭＳサービスがあることを通知する未受信サービス個別通知ステップと、を具備するようにした。
【００５８】
本発明の実施の態様３によれば、未受信サービス個別通知ステップにおいて、受信不可移動局検索ステップにおける判断結果によりＭＢＭＳサービスの実施エリアに存在しないと示された時又は電源がＯＦＦであった移動局の電源がＯＮとなったと示された時に当該移動局に対して記憶手段の前記移動局の識別子とサービス特定情報に基づいて個別に未受信のＭＢＭＳサービスがあることを通知するため、受信を希望するＭＢＭＳサービスに関する受信登録をした後に移動局がＭＢＭＳサービスの実施エリアの外に移動した時、また、移動局の電源をＯＦＦである時にも、当該実施エリアで前記ＭＢＭＳサービスがあったことを移動局が後で知ることができる。
【００５９】
本発明の実施の態様４に係る未受信サービス通知方法は、複数の移動局と、当該複数の移動局と通信を行う基地局と、当該基地局を制御する基地局制御装置と、前記基地局及び前記基地局制御装置を介して前記複数の移動局に対しＭＢＭＳサービスを行う上位装置と、を具備するＭＢＭＳサービスシステムにおける未受信サービス通知方法において、前記移動局が前記ＭＢＭＳサービスの受信を希望して受信登録を要求する受信登録要求信号を受けた時に当該移動局の識別子と前記受信登録要求信号に係る前記ＭＢＭＳサービスを特定するサービス特定情報とを対応付けて記憶手段が記憶しておく記憶ステップと、前記ＭＢＭＳサービスを実際に行う時に前記記憶手段に前記識別子が記憶された前記移動局が前記ＭＢＭＳサービスの実施エリアに存在するかを判断して判断結果を生成する受信不可移動局検索ステップと、前記判断結果により前記ＭＢＭＳサービスの実施エリアに存在しないと示された前記移動局が再び当該ＭＢＭＳサービスの実施エリアに戻ってきた時に当該移動局に対して前記記憶手段の前記移動局の前記識別子と前記サービス特定情報に基づいて個別に未受信の前記ＭＢＭＳサービスがあることを通知する未受信サービス個別通知ステップと、を具備するようにした。
【００６０】
本発明の実施の態様４によれば、未受信サービス個別通知ステップにおいて、受信不可移動局検索ステップにおける判断結果によりＭＢＭＳサービスの実施エリアに存在しないと示された移動局が再び当該ＭＢＭＳサービスの実施エリアに戻ってきた時に当該移動局に対して記憶手段の前記移動局の識別子とサービス特定情報に基づいて個別に未受信の前記ＭＢＭＳサービスがあることを通知するため、受信を希望するＭＢＭＳサービスに関する受信登録をした後に移動局がＭＢＭＳサービスの実施エリアの外に移動した時にも、当該実施エリアでＭＢＭＳサービスがあったことを移動局が後で知ることができる。
【産業上の利用可能性】
【００６１】
本発明は、受信を希望するＭＢＭＳサービスに関する受信登録をした後に移動局がＭＢＭＳサービスの実施エリアの外に移動した時、また、移動局の電源をＯＦＦである時にも、当該実施エリアでＭＢＭＳサービスがあったことを移動局が後で知ることができる効果を有し、ＭＢＭＳサービスシステム及び未受信サービス通知方法に有用である。
【図面の簡単な説明】
【００６２】
【図１】本発明の実施の形態１に係るＭＢＭＳサービスシステムの構成を示すブロック図
【図２】本発明の実施の形態１に係るＭＢＭＳサービスシステムの動作を説明するためのブロック図
【図３】本発明の実施の形態１に係るＭＢＭＳサービスシステムの動作を説明するための図
【図４】本発明の実施の形態１に係るＭＢＭＳサービスシステムにおいて未受信サービス個別通知部による移動局に対する未受信サービスの通知の１例を説明するためのフロー図
【図５】本発明の実施の形態２に係るＭＢＭＳサービスシステムを示すブロック図
【図６】本発明の実施の形態２に係るＭＢＭＳサービスシステムにおいて未受信サービス個別通知部による移動局に対する未受信サービスの通知の１例を説明するためのフロー図
【図７】２つのセッション１、２よりなるサービス１が実施される時の手順を時間の経過に従って示す図
【図８】ＭＢＭＳサービスシステムにおける上位装置、基地局制御装置、基地局及び移動局が図７に示した各手順とどのように関係するかを説明するための図
【符号の説明】
【００６３】
１００、４００  ＭＢＭＳサービスシステム
１０１、１０１−１、１０１−２  移動局
１０２、１０２−１、１０２−２  基地局
１０３、１０３−１、１０３−２  基地局制御装置
１０４  上位装置
１０５  位置情報管理装置
１０６、４０１  未受信サービス通知装置
１０６１  記憶装置
１０６２  受信不可移動局検索部
１０６３、４０１１  未受信サービス個別通知部
【図１】
0004673209.tif 000002
【図２】
0004673209.tif 000003
【図３】
0004673209.tif 000004
【図４】
0004673209.tif 000005
【図５】
0004673209.tif 000006
【図６】
0004673209.tif 000007
【図７】
0004673209.tif 000008
【図８】
0004673209.tif 000009